(57)【特許請求の範囲】
【請求項１】
枠体と、該枠体内で並列に複数段配列された変形可能な長尺体とを備え、長尺体が変形することで隣り合う長尺体同士の間隔を可変とし、隣り合う長尺体の間に開口を形成可能としたスクリーン装置において、
隣り合う長尺体間に挿入可能で、スクリーン装置が取り付けられる被取付部の被遮蔽面に取り付けられて前記枠体内の任意の位置に配置することができる間隔保持手段を備え、該任意の位置で間隔保持手段を隣り合う長尺体に挿入して間隔保持手段の駒部の長手方向を長尺体の長手方向に一致させると隣り合う長尺体の間隔はほとんどなく、間隔保持手段を前記被遮蔽面と平行な面内で回転させることにより間隔保持手段の駒部の両端に隣り合う長尺体を引っ掛けるようにして該隣り合う長尺体との間隔を変化させて隣り合う長尺体同士の間隔を保持することを特徴とするスクリーン装置。
【請求項２】
枠体と、該枠体内で並列に複数段配列された変形可能な長尺体とを備え、長尺体が変形することで隣り合う長尺体同士の間隔を可変とし、隣り合う長尺体の間に開口を形成可能としたスクリーン装置において、
前記枠体には該枠体内を伸びるバー材が取り付けられており、隣り合う長尺体間に挿入可能で、バー材に取り付けられて前記枠体内の任意の位置に配置することができる間隔保持手段を備え、該任意の位置で間隔保持手段を隣り合う長尺体に挿入して間隔保持手段を回転させることにより間隔保持手段の駒部の両端に隣り合う長尺体を引っ掛けるようにして該隣り合う長尺体との間隔を変化させて隣り合う長尺体同士の間隔を保持し、前記バー材は、前記枠体に対して移動可能であることを特徴とするスクリーン装置。
【請求項３】
枠体を被取付部に取り付けるための固着手段をさらに備えることを特徴とする請求項１または２記載のスクリーン装置。
【発明の詳細な説明】
【０００１】
【発明の属する技術分野】
本発明は、窓や壁面等に取り付けられるのに適した新規なスクリーン装置に関する。
【０００２】
【従来の技術】
従来の窓や壁面等に取り付けられるスクリーン装置としては、ブラインドやカーテンなどの様々なスタイルのものが使用されている。
【０００３】
【発明が解決しようとする課題】
しかしながら、従来のスクリーン装置では、それぞれ固有の開閉機能を有しているものの、そのスクリーン装置を開けたときの開閉形態は製造者が設計した通りの画一的なものであり、使用者が自分の好みに応じて自由に開閉形態を変化させることができるものはない。
【０００４】
本発明はかかる課題に鑑みなされたもので、使用者が自由に開閉形態を変化させることができる斬新なスクリーン装置を提供することをその目的とする。
【０００５】
【課題を解決するための手段】
前述した目的を達成するために、請求項１記載の発明によるスクリーン装置は、枠体と、該枠体内で並列に複数段配列された変形可能な長尺体とを備え、長尺体が変形することで隣り合う長尺体同士の間隔を可変とし、隣り合う長尺体の間に開口を形成可能としたものにおいて、隣り合う長尺体間に挿入可能で、スクリーン装置が取り付けられる被取付部の被遮蔽面に取り付けられて前記枠体内の任意の位置に配置することができる間隔保持手段を備え、該任意の位置で間隔保持手段を隣り合う長尺体に挿入して間隔保持手段の駒部の長手方向を長尺体の長手方向に一致させると隣り合う長尺体の間隔はほとんどなく、間隔保持手段を前記被遮蔽面と平行な面内で回転させることにより間隔保持手段の駒部の両端に隣り合う長尺体を引っ掛けるようにして該隣り合う長尺体との間隔を変化させて隣り合う長尺体同士の間隔を保持することを特徴とする。枠体内の適宜位置における長尺体同士の間隔を変化させて開口を形成することで、使用者が枠体内において自由に開口パターンを設定することができ、自由に開閉形態を変化させることができる。間隔保持手段を用いることで、長尺体同士の間隔を保持して、所望の開口パターンを保持することができる。間隔保持手段を被取付部の被遮蔽面に取り付けることで、間隔保持手段を枠体内の隣り合う長尺体間に挿入した状態を維持することができる。
【０００６】
また、請求項２記載の発明によるスクリーン装置は、枠体と、該枠体内で並列に複数段配列された変形可能な長尺体とを備え、長尺体が変形することで隣り合う長尺体同士の間隔を可変とし、隣り合う長尺体の間に開口を形成可能としたものにおいて、
前記枠体には該枠体内を伸びるバー材が取り付けられており、隣り合う長尺体間に挿入可能で、バー材に取り付けられて前記枠体内の任意の位置に配置することができる間隔保持手段を備え、該任意の位置で間隔保持手段を隣り合う長尺体に挿入して間隔保持手段を回転させることにより間隔保持手段の駒部の両端に隣り合う長尺体を引っ掛けるようにして該隣り合う長尺体との間隔を変化させて隣り合う長尺体同士の間隔を保持し、前記バー材は、前記枠体に対して移動可能であることを特徴とする。間隔保持手段をバー材に取り付けることで、間隔保持手段を枠体内の隣り合う長尺体間に挿入した状態を維持することができる。
【０００７】
また、請求項３記載の発明は、請求項１又は２記載のものにおいて、枠体を被取付部に取り付けるための固着手段をさらに備えることを特徴とする。枠体自体を被取付部に固着することにより、スクリーン装置を所望の被取付部に取り付けることができる。また、着脱可能な固着手段とすれば、スクリーン装置が不必要なときに、被取付部から取り外すこともできる。
【００１０】
【発明の実施の形態】
以下、図面を用いて本発明の実施の形態を説明する。図１は本発明に係るスクリーン装置の実施形態を表す図である。
【００１１】
図において、スクリーン装置１０は、主に、枠体１２と、枠体１２の対向する部分に渡って架設されて、枠体１２内で並列に複数段配列された変形可能な長尺体としての軟質帯状体１４と、を備えている。
【００１２】
枠体１２としては、図示したような矩形状に限らず、円形、楕円形等のスクリーン装置１０が取り付けられる被取付部である窓２０の窓枠２２等の形状に一致するような形状であると好ましい。
【００１３】
枠体１２の角部には、固着手段としての吸盤１６が取り付けられており、その吸盤１６が被取付部である窓２０の窓枠２２に吸着できるようになっている。この例のように、固着手段として吸盤１６を用いた場合には、簡単な着脱操作で任意の箇所に固着することができて便利である。しかしながら、吸盤１６以外に、被取付部が磁性体である場合には、固着手段としてマグネットを用いることができ、この場合も簡単な着脱操作で任意の箇所に固着することができる。また、これ以外の固着手段として、ネジ等による螺着や、または、ブラケットを介して被取付部に取り付けることも可能である。好ましくは、吸盤１６等の固着手段を含むスクリーン装置１０の厚みが約１０ｍｍ以下とすると良く、従って、窓２０にスクリーン装置１０を取り付けた状態で、窓２０の開閉を問題なくできるような厚みであると良い。
【００１４】
各軟質帯状体１４は、伸縮性及び弾性のある繊維、またはゴム、スプリング等で構成することができ、その両端を枠体１２の対向する部分に接着、クリップ止め、挟着等の任意の手段により固着されている。
【００１５】
軟質帯状体１４は、自然状態では、隣り合う軟質帯状体１４との間で互いにその端部同士が重なり合うようにして、配置されていると良く、多数の軟質帯状体１４によって、枠体１２内をカバーし、窓２０の被遮蔽面であるガラス面２４を完全に遮蔽するものであると良いが、必ずしもこれに限るものではない。但し、軟質帯状体１４は、不透明の材質で枠体１２内を完全に遮光するものであっても、または、半透明の材質でシースルー状態で適度に光を透過するものであっても良い。しかしながら、軟質帯状体１４は、その伸縮性及び弾性を利用して枠体１２内において、軟質帯状体１４の長手方向に直交する方向に変形して、隣り合う軟質帯状体１４同士の間隔を変化することができるようになっている。隣り合う軟質帯状体１４の間隔を適当に変化させて、隣り合う軟質帯状体１４の間で形成される開口２６を変化させることにより、使用者の好みで、異なる開口パターンを持つ開閉形態とすることができる。任意の開閉形態を維持するためのものとして、間隔保持手段が使用されると良い。間隔保持手段は、この実施形態では、窓２０のガラス面２４に取付可能となった回転駒１８で構成される。回転駒１８は、その一方部にガラス面２４に吸着される吸盤部１８ａを備えており、他方部に回転非対称の形状となった長方形の駒部１８ｂを備えている。回転駒１８は、そのスクリーン装置１０の大きさ及び希望の開口パターンにより、適宜の数を使用することができ、隣り合う軟質帯状体１４の間に挿入して、その吸盤部１８ａをガラス面２４に吸着させることにより、枠体１２内の任意の位置に配置することができるようになっている。そして、回転駒１８の長方形の駒部１８ｂの長手方向を軟質帯状体１４の長手方向に一致させると、その隣り合う軟質帯状体１４は初期状態の互いに略平行状態となり、その間隔はほとんど無い状態となる。その一方で、回転駒１８をガラス面２４と平行な面内で９０度回転させて、その駒部１８ｂの両端に隣り合う軟質帯状体１４を引っ掛けるようにすると、これら隣り合う軟質帯状体１４の間隔が大きく広げられた状態で保持される。従って、この回転駒１８を適宜に配置することにより、任意の開口パターンを形成することができる。その開口パターンの幾つかの例を図２ないし図４に示す。
【００１６】
図２は、ブラインドのように開口させた所謂ブラインドパターンとしたもので、一対の回転駒１８を水平方向に並んで配置して、各回転駒１８の駒部１８ｂの長手方向を互いに縦方向に平行に向けることで、その回転駒１８を挟む隣り合う軟質帯状体１４との間で１つの略矩形の開口２６を形成している。図２（ａ）に示すように、この矩形の開口２６を上下方向に並べることで、規則正しいブラインドのような開口パターンを形成することができる。また、開口が不必要となれば、回転駒１８を回転させることにより、開口を無くすこともでき、図２（ｂ）に示すように、部分的に開口の無いようにすることもできる。勿論、開口が不必要な場合には、回転駒１８自体をガラス面２４から取り外すことも可能である。
【００１７】
図３は、変形パターンとしたものである。図３（ａ）に示すように、各回転駒１８を縦方向に向けると共に、回転駒１８の位置を縦方向に交互に左端と右端とに位置替えすることで、各回転駒１８を挟む軟質帯状体１４との間で三角形の開口２６を形成すると共に、三角形の開口２６の向きを交互に変化させることができる。また、図３（ｂ）に示すように、これらの回転駒１８の位置をすべて水平方向の中央に位置づけることで、各回転駒１８を挟む隣り合う軟質帯状体１４の間で菱形の開口２６を形成すると共に、この菱形の開口２６を縦方向に並べることができ、図３（ｃ）に示すように、これらの回転駒１８の位置をすべて一端に位置づけることで、各回転駒１８を挟む隣り合う軟質帯状体１４の間で三角形の開口２６を形成すると共に、同じ向きの三角形の開口を縦方向に並べることができる。
【００１８】
また、回転駒１８は、駒部１８ｂの長手方向の寸法の異なる駒部１８ｂを何種類か用意しておくことで、さらに、バリエーションを増加させることができ、更なる変化を楽しむことができる。図４はその例であり、異なる大きさの駒部１８ｂを縦方向に交互に並べることで、大きな面積の開口２６と小さな面積の開口２６とを縦方向に交互に並べることができる。
【００１９】
図示した例に限らず、回転駒１８を任意の配置とすることができ、ランダムに配置することもできる。回転駒１８は、吸盤部１８ａを簡単にガラス面２４に着脱することができるので、使用者が好きな時に、好きなように開口パターンを変化させることができる。
【００２０】
さらには、スクリーン装置１０も、その吸盤１６を窓枠２２から簡単に着脱することができるので、例えば、窓２０の清掃を行う際に、スクリーン装置１０を窓２０から簡単に取り外すこともできる。
【００２１】
図５及び図６は、本発明の第２の実施形態を表す図である。この実施形態によるスクリーン装置１０’では、枠体１２の対向する部分に渡ってバー材２８が架設されており、間隔保持手段を、バー材２８に取り付けられた駒３０とした点が、第１実施形態と異なっている。即ち、バー材２８には、その長手方向に沿ってスライド溝２８ａが形成されていると共に、バー材２８の両端は枠体１２の裏面に形成されたスライド溝１２ａにスライド可能に嵌め込まれている。駒３０は、その一方部にスライド溝２８ａに嵌め込まれるスライド部３０ａを備えており、その他方部に駒部３０ｂを備えている。スライド部３０ａはスライド溝２８ａの長手方向に対して直交した場合に、スライド溝２８ａに係止され、また、スライド溝２８ａの長手方向に対して平行となった場合には、スライド溝２８ａをスライド可能及びスライド溝２８ａから着脱可能となっている。こうして、スライド溝２８ａをスライドさせて適宜位置で係止させることにより、駒３０を、バー材２８に沿った任意の位置に配置することができる。また、バー材２８自体も枠体１２のスライド溝１２ａに沿って移動させることで、駒３０を枠体１２内の任意の位置に配置することができる。その任意の位置において、駒３０を隣り合う軟質帯状体１４の間に挿入して、駒部３０ｂの両端に隣り合う軟質帯状体１４を引っ掛けるようにすると、これら隣り合う軟質帯状体１４の間隔が大きく広げられて間隔が保持されるのは、第１実施形態の場合と同様である。
【００２２】
以上のように上記各実施形態によれば、次の効果が得られる。
【００２３】
１）開口パターンを使用者が自由に設定することで、スクリーン装置の開閉形態を変化させて楽しむことができ、インテリア性に富んだものとすることができる。
【００２４】
２）スクリーン装置自体を簡単に窓等の被取付部に対して着脱することができ、開口を設定しない場合には、被取付部の被遮蔽面の目隠し、日除けとしても使用できる。また、スクリーン装置自体の位置も変化させることができ、被取付部の清掃時などにスクリーン装置が邪魔な場合にも簡単に取り外すことができる。
【００２５】
３）間隔保持部材は、簡単に着脱することができるので、開口パターンを簡単に変化させることができると共に、不要時には、取り外すことができる。
【００２６】
【発明の効果】
以上説明したように本発明によれば、使用者が自由に開閉形態を変化させることができる斬新なスクリーン装置とすることができる。
【図面の簡単な説明】
【図１】本発明の第１の実施形態によるスクリーン装置を表す分解斜視図である。
【図２】図１のスクリーン装置の開口パターンの一例を表す正面図である。
【図３】図１のスクリーン装置の開口パターンの他の例を表す正面図である。
【図４】図１のスクリーン装置の開口パターンの他の例を表す正面図である。
【図５】本発明の第２の実施形態によるスクリーン装置を表す正面から見た斜視図である。
【図６】第２の実施形態によるスクリーン装置の背面図である。
【符号の説明】
１０、１０’  スクリーン装置
１２  枠体
１４  軟質帯状体（長尺体）
１６  吸盤（固着手段）
１８  回転駒（間隔保持手段）
２０  窓（被取付部）
２４  ガラス面（被遮蔽面）
２６  開口
２８  バー材
３０  駒（間隔保持手段）
【図１】
0003825968.tif 000002
【図２】
0003825968.tif 000003
【図３】
0003825968.tif 000004
【図４】
0003825968.tif 000005
【図５】
0003825968.tif 000006
【図６】
0003825968.tif 000007